(57)【特許請求の範囲】
【請求項１】
特定入賞口への入賞により可変表示装置を駆動制御する制御部から出力された制御信号を受けて該可変表示装置を稼動させ、該可変表示装置の表示図柄が特定の組み合わせになった場合に、可変入賞口を一定期間開成させ、入賞の容易な特別状態を発生させるようにしたパチンコ機において、
前記可変表示装置は前記制御部の制御信号を受けてその複数の図柄を可変表示した後に図柄を順次確定可能にする複数の図柄表示欄を備え、
前記制御部の制御信号を受けて、直前に確定した図柄表示欄の表示図柄と次に確定する図柄表示欄の表示図柄の関係が、設定された条件を満たすか否かを成立条件として表示する条件抽選欄と、前記制御部から出力された制御信号を受けて抽選工程を実行し、前記条件抽選欄の成立条件について抽選し、
直前に確定した図柄表示欄に表示された表示図柄と次に確定する図柄表示欄に表示された表示図柄の関係が、前記条件抽選欄に表示された前記成立条件を満たす場合に、次の成立条件についての抽選工程に移行するようにし、最終的に各図柄表示欄の表示図柄が前記条件抽選欄の各成立条件を満たした場合に、前記特別状態にする制御部を備えたことを特徴とするパチンコ機。
【請求項２】
特定入賞口への入賞により可変表示装置を駆動制御する制御部から出力された制御信号を受けて該可変表示装置を稼動させ、該可変表示装置の表示図柄が特定の組み合わせになった場合に、可変入賞口を一定期間開成させ、入賞の容易な特別状態を発生させるようにしたパチンコ機において、
前記可変表示装置は前記制御部の制御信号を受けてその複数の数字を可変表示した後に数字を順次確定可能にする複数の数字表示欄を備え、
前記制御部の制御信号を受けて、直前に確定した数字表示欄の数字と次に確定する数字表示欄の数字との関係において両数字の大小を条件とする成立条件を設定して表示する条件抽選欄と、前記制御部から出力された制御信号を受けて抽選工程を実行し、前記条件抽選欄の成立条件について抽選し、
直前に確定した数字表示欄の数字と次に確定する数字表示欄の数字との関係が、前記成立条件を表示する条件抽選欄に表示された成立条件を満たす場合に、次の成立条件についての抽選工程に移行するようにし、最終的に各数字表示欄の各数字が前記条件抽選欄の各成立条件を満たした場合に、前記特別状態にする制御部を備えたことを特徴とするパチンコ機。
【請求項３】
前記特定入賞口に入賞した場合に、前記可変表示装置の稼動回数を入賞した玉数に対応して設定する稼動回数設定装置を備え、
前記稼動回数設定装置は、予定された未稼動回数分の稼動権利を保留する権利保留部と、前記未稼動回数分の稼動権利を一つづつ実行する権利実行部と、前記未稼動回数から実行済の既稼動回数を減算し、かつ、前記未稼動回数に新たに設定された稼動回数を加算して新たな未稼動回数を算出する演算部と、該未稼動回数を表示する保留表示部とを有することを特徴とする請求項１または２記載のパチンコ機。
【発明の詳細な説明】
【０００１】
【産業上の利用分野】
本発明は、特定入賞口への入賞により可変表示装置を稼動させ、該可変表示装置の表示図柄が特定の組み合わせになった場合に、可変入賞口を一定期間開成させ、入賞の容易な特別状態を発生させるようにしたパチンコ機に関する。
【０００２】
【従来の技術】
従来のパチンコ機としては、例えば、可変表示装置の表示図柄が特定の組み合わせになり、可変入賞装置が作動して通常より相対的に高い確率で入賞が行なえる特別状態が発生するようにしたいわゆるフィーバー機が存在している。
そして、可変表示装置が３つの表示図柄をそれぞれ回転表示するなどして、遊技者の興趣を高める配慮がなされている。
【０００３】
【発明が解決しようとする課題】
しかしながら、このような従来のパチンコ機では、各パチンコ機において、特別状態になるまでの過程が大きく異なることがなく、ほぼ同じであり、例えば、新たに、別種のパチンコ機に代えて遊技しても、新たな興趣を呼び起こすことがなく、遊技性が高まらないという問題点があった。
本発明は、このような従来の問題点に着目してなされたもので、特別状態になるまでの過程を目新しくして、遊技者の興趣を呼び起こし、遊技性を高めることができるようにしたパチンコ機を提供することを目的としている。
【０００４】
【課題を解決するための手段】
かかる目的を達成するための本発明の要旨とするところは、
１  特定入賞口への入賞により可変表示装置（１８）を駆動制御する制御部（１３）から出力された制御信号を受けて該可変表示装置（１８）を稼動させ、該可変表示装置（１８）の表示図柄が特定の組み合わせになった場合に、可変入賞口を一定期間開成させ、入賞の容易な特別状態を発生させるようにしたパチンコ機において、
前記可変表示装置（１８）は前記制御部（１３）の制御信号を受けてその複数の図柄を可変表示した後に図柄を順次確定可能にする複数の図柄表示欄（１８ａ，１８ｂ，１８ｃ，１８ｄ）を備え、
前記制御部（１３）の制御信号を受けて、直前に確定した図柄表示欄（１８ａ，１８ｂ，１８ｃ，１８ｄ）の表示図柄と次に確定する図柄表示欄（１８ａ，１８ｂ，１８ｃ，１８ｄ）の表示図柄の関係が、設定された条件を満たすか否かを成立条件として表示する条件抽選欄（１７）と、前記制御部（１３）から出力された制御信号を受けて抽選工程を実行し、前記条件抽選欄（１７）の成立条件について抽選し、
直前に確定した図柄表示欄（１８ａ，１８ｂ，１８ｃ，１８ｄ）に表示された表示図柄と次に確定する図柄表示欄（１８ａ，１８ｂ，１８ｃ，１８ｄ）に表示された表示図柄の関係が、前記条件抽選欄（１７）に表示された前記成立条件を満たす場合に、次の成立条件についての抽選工程に移行するようにし、最終的に各図柄表示欄（１８ａ，１８ｂ，１８ｃ，１８ｄ）の表示図柄が条件抽選欄（１７）の各成立条件を満たした場合に、前記特別状態にする制御部（１３）を備えたことを特徴とするパチンコ機。
【０００５】
２  特定入賞口への入賞により可変表示装置（１８）を駆動制御する制御部（１３）から出力された制御信号を受けて該可変表示装置を稼動させ、該可変表示装置（１８）の表示図柄が特定の組み合わせになった場合に、可変入賞口を一定期間開成させ、入賞の容易な特別状態を発生させるようにしたパチンコ機において、
前記可変表示装置（１８）は前記制御部（１３）の制御信号を受けてその複数の数字を可変表示した後に数字を順次確定可能にする複数の数字表示欄（１８ａ，１８ｂ，１８ｃ，１８ｄ）を備え、
前記制御部（１３）の制御信号を受けて、直前に確定した数字表示欄（１８ａ，１８ｂ，１８ｃ，１８ｄ）の数字と次に確定する数字表示欄（１８ａ，１８ｂ，１８ｃ，１８ｄ）の数字との関係において両数字の大小を条件とする成立条件を設定して表示する条件抽選欄（１７）と、前記制御部（１３）から出力された制御信号を受けて抽選工程を実行し、前記条件抽選欄（１７）の成立条件について抽選し、
直前に確定した数字表示欄（１８ａ，１８ｂ，１８ｃ，１８ｄ）の数字と次に確定する数字表示欄（１８ａ，１８ｂ，１８ｃ，１８ｄ）の数字との関係が、前記成立条件を表示する条件抽選欄（１７）に表示された成立条件を満たす場合に、次の成立条件についての抽選工程に移行するようにし、最終的に各数字表示欄（１８ａ，１８ｂ，１８ｃ，１８ｄ）の各数字が前記条件抽選欄（１７）の各成立条件を満たした場合に、前記特別状態にする制御部（１３）を備えたことを特徴とするパチンコ機。
【０００６】
３  前記特定入賞口（１５）に入賞した場合に、前記可変表示装置（１８）の稼動回数を入賞した玉数に対応して設定する稼動回数設定装置（２０）を備え、
前記稼動回数設定装置（２０）は、予定された未稼動回数分の稼動権利を保留する権利保留部（３０）と、前記未稼動回数分の稼動権利を一つづつ実行する権利実行部（４０）と、前記未稼動回数から実行済の既稼動回数を減算し、かつ、前記未稼動回数に新たに設定された稼動回数を加算して新たな未稼動回数を算出する演算部（５０）と、該未稼動回数を表示する保留表示部（７０）とを有することを特徴とする１または２項記載のパチンコ機に存する。
【０００７】
【作用】
特定入賞口（１５）へ入賞すると、複数の図柄表示欄（１８ａ，１８ｂ，１８ｃ，１８ｄ）が可変表示していき、やがて、順次その図柄が確定していく。
【０００８】
このとき、制御部（１３）の制御信号を受けて、直前に確定した図柄表示欄（１８ａ，１８ｂ，１８ｃ，１８ｄ）の表示図柄と次に確定する図柄表示欄（１８ａ，１８ｂ，１８ｃ，１８ｄ）の表示図柄の関係が、設定された条件を満たすか否かを成立条件として表示する条件抽選欄（１７）は、前記制御部（１３）から出力された制御信号を受けて抽選工程を実行し、前記条件抽選欄（１７）の成立条件について抽選し、直前に確定した図柄表示欄（１８ａ，１８ｂ，１８ｃ，１８ｄ）に表示された表示図柄と次に確定する図柄表示欄（１８ａ，１８ｂ，１８ｃ，１８ｄ）に表示された表示図柄の関係が、前記条件抽選欄（１７）に表示された前記成立条件を満たす場合に、次の抽選工程に移行するようにする。一方、両者の関係が前記条件抽選欄（１７）が表示された成立条件を満たさない場合には、次の抽選工程に移行しないで、例えば、複数の図柄表示欄（１８ａ，１８ｂ，１８ｃ，１８ｄ）の可変表示が終了する。
【０００９】
制御部（１３）は、最終的に、複数の表示図柄欄（１８ａ，１８ｂ，１８ｃ，１８ｄ）の表示図柄が条件抽選欄（１７）の各成立条件を満たした場合に、可変入賞口を入賞し易く開成させた特別状態にする。
特別状態になるまでの過程が目新しく、かつ、条件抽選欄（１７）が設定して表示する成立条件によって、特別状態になるか否かが大きく左右され、遊技者にとっては大きな興味となり、遊技の趣向を増すことができる。
【００１０】
前記可変表示装置（１８）は前記制御部（１３）の制御信号を受けてその複数の数字を可変表示した後に数字を順次確定可能にする複数の数字表示欄（１８ａ，１８ｂ，１８ｃ，１８ｄ）を備え、前記制御部(１３)の制御信号を受けて、直前に確定した数字表示欄（１８ａ，１８ｂ，１８ｃ，１８ｄ）の数字と次に確定する数字表示欄（１８ａ，１８ｂ，１８ｃ，１８ｄ）の数字との関係において両数字の大小を条件とする成立条件を設定して表示する条件抽選欄（１７）と、前記制御部（１３）から出力された制御信号を受けて抽選工程を実行し、前記条件抽選欄（１７）の成立条件について抽選し、直前に確定した数字表示欄（１８ａ，１８ｂ，１８ｃ，１８ｄ）の数字と次に確定する数字表示欄（１８ａ，１８ｂ，１８ｃ，１８ｄ）の数字との関係が、前記条件抽選欄（１７）に表示される成立条件を満たす場合に、次の抽選工程に移行するようにし、最終的に各数字表示欄（１８ａ，１８ｂ，１８ｃ，１８ｄ）の各数字が前記条件抽選欄（１７）の各成立条件を満たした場合に、前記特別状態にする制御部（１３）を備えたものでは、
可変表示装置（１８）は、複数の数字表示欄（１８ａ，１８ｂ，１８ｃ，１８ｄ）を備え、前記条件抽選欄（１７）の各成立条件は、複数の数字表示欄（１８ａ，１８ｂ，１８ｃ，１８ｄ）にそれぞれ表示される数字の「大」「小」を条件とすることができ、遊技者は、比較的視認し易く、かつ、判断し易い数字の「大」「小」へ大きな興趣を向けることができ、パチンコ遊技をしながら十分に数字合せゲームを楽しむことができる。
【００１１】
前記特定入賞口（１５）に入賞した場合に、前記可変表示装置（１８）の稼動回数を入賞した玉数に対応して設定する稼動回数設定装置（２０）を備え、前記稼動回数設定装置（２０）は、予定された未稼動回数分の稼動権利を保留する権利保留部（３０）と、前記未稼動回数分の稼動権利を一つづつ実行する権利実行部（４０）と、前記未稼動回数から実行済の既稼動回数を減算し、かつ、前記未稼動回数に新たに設定された稼動回数を加算して新たな未稼動回数を算出する演算部（５０）と、該未稼動回数を表示する保留表示部（７０）とを有するものでは、
特定入賞口（１５）に入賞すると、稼動回数設定装置（２０）が入賞した玉数に対応して可変表示装置（１８）の稼動回数を設定し、権利保留部（３０）は予定される未稼動回数分の稼動権利を保留する。権利実行部（４０）が稼動権利を実行していくと、演算部（５０）が未稼動回数から実行済の既稼動回数が減算される。また、同時に未稼動回数が保留表示部（７０）に表示され、遊技者が現時点での未稼動回数を視認することができ、その未稼動回数中に特別状態が成立するか否かに大きな興趣をもって遊技することができる。
【００１２】
【実施例】
以下、図面に基づき本発明の一実施例を説明する。
各図は本発明の一実施例を示している。
図１および図３に示すように、本実施例にかかるパチンコ機１０は、その盤面１２に特定入賞口１５が開設され、特定入賞口１５の上方には可変表示装置１８が設けられている。可変表示装置１８は、４つ並べた図柄表示欄１８ａ，１８ｂ，１８ｃ，１８ｄ（以下単に数字表示欄１８ａ，１８ｂ，１８ｃ，１８ｄという。）をそれぞれ可変表示可能に構成して成る。数字表示欄１８ａ，１８ｂ，１８ｃ，１８ｄには、表示図柄として数字が用いられている。数字表示欄１８ａ，１８ｂ，１８ｃ，１８ｄは、それぞれが可変表示する液晶パネルであるが、機械式の回転ドラムであってもよい。可変表示装置１８の各数字表示欄１８ａ，１８ｂ，１８ｃ，１８ｄは、図１に向かって最も左側の数字表示欄１８ａから順に右方向へ停止してその各図柄をそれぞれ確定して行くものであって、その確定順序は後述の制御部１３が出力する制御信号による。
【００１３】
直前に確定した例えば数字表示欄１８ａの数字と次に確定する右隣の数字表示欄１８ｂの数字との関係において両数字の「大」「小」を条件とする成立条件を設定して表示する抽選工程を実行可能な条件抽選欄１７が可変表示装置１８の下方位置に設けられている。条件抽選欄１７の条件設定およびその表示は、次に確定すべき数字表示欄の数字が確定するまでに成され、同じく後述の制御部１３の制御信号による。数字表示欄１８ａ，１８ｂ，１８ｃ，１８ｄの各数字には、「０」〜「９」までの数字が表示図柄として用いられている。「大」の条件は「ＢＩＧ」で、「小」の条件は「ＳＭＡＬＬ」で表示される。直前に確定した数字表示欄の数字と次に確定するの数字表示欄の数とが同じ数字であれば、条件が「ＢＩＧ」または「ＳＭＡＬＬ」であっても成立条件を満たさないものとする。
【００１４】
制御部１３は、特定入賞口１５への入賞により可変表示装置１８を駆動制御するものであるが、４つの数字表示欄１８ａ，１８ｂ，１８ｃ，１８ｄの動作は、前述したごとく左側から順に停止していく場合に限らない。
制御部１３は、特定入賞口１５へ入賞すると、入賞信号を受けて、可変表示装置１８に制御信号を出力し、それにより、４つ並んだ数字表示欄１８ａ，１８ｂ，１８ｃ，１８ｄを可変表示可能にし、かつ、４つの数字表示欄１８ａ，１８ｂ，１８ｃ，１８ｄが特定の組み合わせになった場合にフィーバ状態（可変入賞口がラウンド回数分だけ開閉動作を繰り返し、入賞の容易な特別状態）に成るよう構成されている。
【００１５】
稼動回数設定装置２０は、特定入賞口１５に入賞した場合に、該入賞した玉の玉数に対応して可変表示装置１８の数字表示欄１８ｂの稼働回数を主記憶部である権利保留部３０に書き込むもので、制御部１３が行っているが、専用の制御部を設けても良い。権利保留部３０に書き込まれる稼動回数は、最大保留数が「４」であり、稼働回数の数値は、比較器である権利実行部４０で最大保留数「４」と比較され、最大保留数「４」より大きい数値であると、権利無効部６０から制御信号が権利保留部３０に出力され、「５」以上の数値は書き込み不能に構成されている。本実施例においては、最大保留数は「４」としたが、これに限らず、「４」より大きくても「４」より小さくてもよい。
可変表示装置１８の上方には保留表示部７０が設けられている。保留表示部７０は４つのランプを有し、権利保留部３０に書き込まれた稼働回数が保留表示部７０のランプの点灯した数となって表示される。
【００１６】
権利実行部４０は比較器であり、権利保留部３０に書き込まれた稼働回数が「１」以上であれば、権利実行部４０は可変表示装置１８に制御信号を出力して、可変表示装置１８が可変表示する。また、制御部１３は、権利実行部４０が可変表示装置１８に制御信号を出力すると、演算部５０に制御信号を出力するもので、それにより、演算部５０は権利保留部３０に書き込まれた稼働回数から「１」を減算し、かつ、保留表示部７０はその点灯ランプを１つ滅灯する。このようにして、可変表示装置１８が可変表示していき、権利保留部３０に書き込まれた稼働回数が減算されていき、権利保留部３０に書き込まれた未稼働回数が「０」になると、権利実行部４０から可変表示装置１８への制御信号が出力停止される。
【００１７】
次に作用を説明する。
図４に示すように、ステップ１において、特定入賞口１５いわゆるチャッカーに入賞すると、ステップ２において、可変表示装置１８が稼働中か否かを判断する。可変表示装置１８が稼働中でないと判断されると、ステップ３において、制御部１３が可変表示装置１８に制御信号を出力し、可変表示装置１８が駆動する。
可変表示装置１８が稼働中であると判断されると、ステップ１４において、権利実行部４０が権利保留部３０に書き込まれた未稼働回数が「４」より大きいか否を判断する。図示省略した入賞玉センサは逐次制御部１３に入賞信号を出力し、入賞信号が出力されると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
【００１８】
未稼働回数が「４」より大きい場合、ステップ１５において、権利無効部６０は、未稼働回数の最大数値「４」を権利保留部３０に書き込み、「５」以上の未稼働回数に相当する権利が廃棄される。一方、未稼働回数が「４」以下である場合、ステップ１６において、権利保留部３０に書き込まれた未稼働回数分の権利が保留される。特定入賞口１５に玉が入賞していると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
権利が保留されると、ステップ１３において、演算部５０が実行されていない権利が保留されているか否かを判断し、権利が保留されていれば、ステップ２に戻り、再び可変表示装置１８が稼働中か否かが判断される。
【００１９】
ステップ３において、４つの数字表示欄１８ａ，１８ｂ，１８ｃ，１８ｄが稼働して、可変表示するようになり、ステップ４〜ステップ５において、最左側の数字表示欄１８ａが停止し、次に、右隣の数字表示欄１８ｂが停止する。右隣の数字表示欄１８ｂが停止するまでに、次に確定する数字表示欄の数字との関係が、設定された条件を満たすか否かを成立条件として表示する条件抽選欄１７に該成立条件を表示する。
また、可変表示装置１８が稼働すると、演算部５０が未稼働回数例えば「４」から「１」を減算し、減算した未稼働回数「３」を権利保留部３０に書き込む。
【００２０】
ステップ６において、演算部５０が最左側および右隣の数字表示欄１８ａ，１８ｂの関係が、前記設定された成立条件を満たすか否かを表示する条件抽選欄１７の表示成立条件を満たしていると、ステップ７において、制御部１３が前記条件抽選欄１７に制御信号を出力し、前記条件抽選欄１７に次の設定された条件を成立条件として表示される。成立条件を満たしていないと、未確定の数字表示欄１８ｃ，１８ｄを停止し、停止した後に、ステップ１３において、演算部５０が未稼働回数が有るか否かを判断する。
次に、ステップ８において、さらに右隣の数字表示欄１８ｃが停止する。一方、特定の組み合わせでないと、残りの数字表示欄１８ｃ，１８ｄが全て停止する。
【００２１】
ステップ９において、演算部５０が数字表示欄１８ｂ，１８ｃの関係が前記設定された成立条件を満たすか否かを表示する条件抽選欄１７の成立条件を満たしたか否かを判断する。数字表示欄１８ｂ，１８ｃの関係が前記条件抽選欄１７の成立条件を満たすと、ステップ１０において、最右側の数字表示欄１８ｄが停止する。同じく最右側の数字表示欄１８ｄが停止するまでに、次の成立条件が設定され条件抽選欄１７に表示される。該成立条件を満たしていないと、未確定の数字表示欄１８ｄが停止し、停止した後に、ステップ１３において、演算部５０が未稼働回数が有るか否かを判断する。
ステップ１１において、演算部５０は数字表示欄１８ｃ，１８ｄの関係が前記条件抽選欄１７の成立条件を満たすか否かを判断する。演算部５０が前記条件抽選欄１７の成立条件を満たすと判断した場合に、ステップ１２において、制御部１３は、可変入賞口を開閉動作させ特別状態、すなわち、大当たりのフィーバー状態にする。
【００２２】
演算部５０が前記設定された成立条件を満たすか否かを表示する条件抽選欄１７に表示された成立条件を満たさないと判断した場合は、ステップ１３において、演算部５０が未稼働回数が有るか否かを判断し、未稼働回数な無ければ、ステップ１に戻る。未稼働回数が有れば、ステップ２に戻る。
保留表示部７０に現時点での未稼動回数が表示されるため、遊技者にとっては、未稼働回数が残っている間に、可変表示装置１８が特定の組み合わせになり、特別状態すなわちフィーバー状態に成るか否か、また、成立条件が「ＢＩＧ」になるか、「ＳＭＡＬＬ」になるかが大きな関心となる。
【００２３】
なお、前記実施例においては、可変表示装置１８を４つ並べて成る数字表示欄１８ａ，１８ｂ，１８ｃ，１８ｄに構成したものを示したが、数字表示欄１８ａ，１８ｂ，１８ｃ，１８ｄの数は４つに限らず、５つであっても、また、３つであってもよい。
また、数字表示欄１８ａ，１８ｂ，１８ｃ，１８ｄの表示図柄を数字としたが、これに限らず、例えば、「動物」であってもよく、著名な動物をその体重の重い順に多数選出し、体重の軽重を条件として、その成立条件を「ＨＥＡＶＹ」、「ＬＩＧＨＴ」で表示するようにしてもよい。
【００２４】
さらに、数字表示欄１８ａ，１８ｂ，１８ｃ，１８ｄが、その複数の数字を左側から右側へ順番に確定するものを示したが、これに限らず、逆の態様、すなわち、右側から左側へ順番に確定するものや、ランダムに確定するものであってもよい。
前記実施例によれば、権利無効部６０を設けたために、短時間で特定入賞口１５に連続的に入賞した際に、権利保留部３０への未稼動回数の無制限の増加を防止することができる。
【００２５】
【発明の効果】
本発明にかかるパチンコ機によれば、複数の図柄表示欄をそれぞれ可変表示し、直前に確定した図柄表示欄の表示図柄と次に確定する図柄表示欄の表示図柄との関係における成立条件を設定して条件抽選欄に表示し、直前に確定した図柄表示欄の表示図柄と次に確定する図柄表示欄の表示図柄との関係が、前記条件抽選欄の成立条件を満たす場合に、次の抽選工程に移行するようにし、最終的に各図柄表示欄の各表示図柄が前記条件抽選欄の各成立条件を満たした場合に、特別状態にするようにしたので、特別状態になるまでの過程を目新しくして、遊技者の興趣を呼び起こし、遊技性を高めることができる。
【図面の簡単な説明】
【図１】本発明の一実施例を示すパチンコ機の要部正面図である。
【図２】本発明の一実施例を示すパチンコ機の構成ブロック図である。
【図３】本発明の一実施例を示すパチンコ機の要部拡大正面図である。
【図４】本発明の一実施例を示すパチンコ機のフローチャートである。
【符号の説明】
１０…パチンコ機
１２…盤面
１５…特定入賞口
１７…条件抽選欄
１８…可変表示装置
１８ａ，１８ｂ，１８ｃ，１８ｄ…数字表示欄（図柄表示欄）
２０…稼動回数設定装置
３０…権利保留部
４０…権利実行部
５０…演算部
６０…権利無効部
７０…保留表示部
【図１】
0003810451.tif 000002
【図２】
0003810451.tif 000003
【図３】
0003810451.tif 000004
【図４】
0003810451.tif 000005